(57)【要約】【課題】  本発明は、マスク本体を一体成形で全体形状が円弧状とし、中央部の凹部を鼻に当接させ、組立が容易で安価とすることを目的とする。【解決の手段】    本発明によるアイマスクは、全体形状が円弧状をなすと共に樹脂で一体成形された長手形状のマスク本体（１）と前記マスク本体（１）の中央に形成された凹部（４）と、前記凹部（４）の両側に形成され、複数の小孔（２）からなる第１、第２眼部（５、６）と前記マスク本体（１）の両側に蝶番（９）を介して設けられたつる部（１０）とを備え、前記マスク本体（１）はその長手方向と直交する横断面形状がＣ字型をなす構成である。【選択図】図１
2010000316.tif 000002
【特許請求の範囲】
【請求項１】
全体形状が円弧状をなすと共に、樹脂一体成型で長手形状のマスク本体（１）と、前記マスク本体（１）の長手方向の中央位置に形成された凹部（４）と、前記マスク本体（１）の前記凹部（４）の両側位置に形成され複数の小孔（２）からなる第一、第２眼部（５、６）と、前記マスク本体（１）の両端（７、８）に蝶番（９）を介して回動自在に設けられた一対のつる部（１０）と、よりなり、前記マスク本体（１）は、その長手方向と直交する横断面形状がＣ字型のＣ字型部（３０）をなすことを特徴とするアイマスク。
【請求項２】
前記マスク本体（１）の裏面には、輪状縁部（１１）が形成され、前記輪状縁部（１１）の下部の一部に前記凹部（４）が位置し、前記凹部（４）が鼻当部（１２）を形成していることを特徴とする請求項１記載のアイマスク。
【請求項３】
前記鼻当部（１２）には、遮光壁（１３）が立設して形成されていることを特徴とする請求項２記載のアイマスク。
【請求項４】
前記輪状縁部（１１）の両側で前記マスク本体（１）の内壁（１ａ）には、内方へ向けて突出する１個又は複数の遮光片（１４）が形成されていることを特徴とする請求項２記載のアイマスク。
【請求項５】
前記各小孔（２）は、断面でテーパ面からなる漏斗状部（２０）をなすことを特徴とする請求項１ないし４の何れかに記載のアイマスク。
【請求項６】
前記マスク本体（１）は、前記横断面形状のＣ字型部（３０）において、前記Ｃ字型部（３０）の中央部（３１）が最も肉厚が薄く、前記中央部（３１）の両側は徐々に前記中央部（３１）よりも肉厚となるように形成されていることを特徴とする請求項１ないし５の何れかに記載のアイマスク。
【請求項７】
前記各蝶番（９）は前記両端（７、８）に形成された第１、第２柱部（２１、２２）と、前記各つる部（１０）の端部に形成され前記第１、第２柱部（２１、２２）と係合する第１、第２孔部（２３、２４）と、よりなり、前記各柱部（２１、２２）は互いにその直径が異なり、前記各孔部（２３、２４）は互いにその孔径が異なることを特徴とする請求項１ないし６の何れかに記載のアイマスク。
【発明の詳細な説明】
【技術分野】
【０００１】  本発明は、アイマスクに関し、特に、全体形状が円弧状の長手形状をなし横断面形状でＣ字型をなす一体形状のマスク本体を用い、構造が簡単で組立を容易とするための新規な改良に関する。
【背景技術】
【０００２】  従来、用いられていたこの種のアイマスクとしては、特許文献１にも示されているように、第１従来例として、偏平な柔軟材料で形成されたシート状のマスク本体を用い、全体形状が大形化していた。
また、他の第２従来例としては、各眼部のみをカップ状とし、各眼部を連結して各カップにつる部を接続していた。【０００３】
【特許文献１】特開２００４−８７３６号公報
【特許文献２】実開平４−６０２２３号公報
【発明の開示】
【発明が解決しようとする課題】
【０００４】  従来のアイマスクは、以上のように構成されていたため、次のような課題が存在していた。
すなわち、前述の第１従来構成においては、全体形状がシート状であるため、顔面を多く覆う状態となると共に、部品点数も多く、コストアップとなっていた。
また、全体がシート状であるため、遮光が困難であった。
また、第２従来例においては、２個のカップ状の眼部を用いることになり、連結部等の多くの部品を必要とした。
また、前述の各従来構成のアイマスクは、顔面への装着性が良好でなく、長時間の使用には不適であった。
【課題を解決するための手段】
【０００５】  本発明によるアイマスクは、全体形状が円弧状をなすと共に樹脂一体成形で、長手形状のマスク本体と、前記マスク本体の長手方向の中央位置に形成された凹部と、前記マスク本体の前記凹部の両側位置に形成され、複数の小孔からなる第１、第２眼部と、前記マスク本体の両端に蝶番を介して回動自在に設けられた一対のつる部とよりなり、前記マスク本体は、その長手方向と直交する横断面形状がＣ字型のＣ字型部をなす構成であり、また、前記マスク本体の裏面には、輪状縁部が形成され、前記輪状縁部の下部の一部に前記凹部が位置し、前記凹部（４）が鼻当部（１２）を形成している構成であり、また、前記鼻当部には、遮光壁が立設して形成されている構成であり、また、前記輪状縁部の両側で前記マスク本体の内壁には、内方へ向けて突出する１個又は複数の遮光片が形成されている構成であり、また、前記各小孔は、断面でテーパ面からなる漏斗状部をなす構成であり、また、前記マスク本体は前記横断面形状のＣ字型部において、前記Ｃ字型部の中央部が最も肉厚が薄く、前記中央部の両側は徐々に前記中央部よりも肉厚となるように形成されている構成であり、また、前記各蝶番は、前記両端に形成された第１、第２柱部と前記各つる部の端部に形成され、前記第１、第２柱部と係合する第１、第２孔部と、よりなり、前記各柱部は互いにその直径が異なり、前記各孔部は互いにその孔径が異なる構成である。
【発明の効果】
【０００６】  本発明によるアイマスクは、以上のように構成されているため、次のような効果を得ることができる。
すなわち、請求項１のアイマスクの構成により、少ない面積で眼部全体を簡単に覆うことが出来、種々の顔面に対して、顔面の曲面と同じように、曲面凸形状をなし、内側は凹形状にして、ある程度の深さを有しているので自然な状態で瞬きが出来る構造にした。また自然な状態で顔面に沿うことが出来るので、顔面に対して装着感が良好である。
見る機能、ピンホール効果を最大限に得るために、暗室効果も有効に得られるようにした。
本発明は人間工学を有効に生かした構造、機能を有し、肉体的、精神的な不安定感を取り除き、精神的な安定感を得られるようにした。全体的に無駄を取り省き、さらに軽量化を図り、見る機能（ピンホール）を取り入れ、コンパクトな設計にして、長時間の使用に耐え得るようにした。
長時間にも、また精神的にも安定を得られ、疲労感も感じない、使い勝手に優れた製品に仕上げ、自然な状態で顔面に沿うので心地よい。さらにピンホール効果を最大限得るために、内面から光が洩れないように、遮光壁に工夫し、最大限の暗室効果が得られる構造にした。
従来よりなるアイマスクよりも軽量にするために一体成型で仕上げた。その為に経済的にも優れ、使用感も良好で、安心、安全に使用出来る優れた製品を得ることができる。【０００７】  また、請求項２から４のアイマスクの構成により、輪状縁部の中間に鼻当部を設け、鼻から本体がずれ落ちないようにした。また、鼻当部から光が洩れないように、ある程度の面積を要し、遮光性を高める構造になっている。
また、暗室効果を高めるために、本体の左右から光が洩れないように、左右の位置に複数個の遮光壁を設け、極力光の漏れが無いようにできる。【０００８】  また、請求項５及び６のアイマスクの構成により、本来輪状縁部の表壁の内面の上部の板厚を薄い肉厚にすることが、光学上不可欠である。そこで前記表壁内面の小孔を、全て漏斗状にすることで、限りなく小孔の周囲の肉厚が薄くなり、光の直線に対して、全ての小孔は真円に見える構成とすることができた。
また、請求項７のアイマスクの構成により、結合部が一定方向になり、組立をする時に、左右のつるの組立の誤りを防ぐにとが出来る。その結果、作業性の均一、製品の均一など、組立が簡便になり、熟練工が必要なく、製造コストの削減化を図ることが出来る。
【発明を実施するための最良の形態】
【０００９】  本発明は、全体形状が円弧状の長手形状をなし横断面形状でＣ字型をなす一体形状のマスク本体を用い、構造が簡単で組立を容易としたアイマスクを提供することを目的とする。
【実施例】
【００１０】  以下、図面と共に本発明によるアイマスクの好適な実施の形態について説明する。
図１から図３において符号１で示されるものは、全体形状が円弧状に曲折されて長手形状をなすと共に、樹脂一体成形で長手形状のマスク体であり、このマスク体１の長手方向の中央位置には、鼻が当接するための凹部４が形成され、この凹部４の両側位置には、複数の小孔２からなる第１、第２眼部５、６が形成されている。
前記マスク本体１の両端である第１、第２端部７、８には、蝶番９を介して一対のつる部１０が開閉自在に接続されている。【００１１】  前記マスク本体１は、図４及び図５の断面に示されるように、長手方向と直交する横断面形状で深さＤを有するＣ字型のＣ字型部３０をなし、内面は凹形部１Ｂに形成され、表面は凸形部１Ｃに形成されている。【００１２】  前記マスク本体１の裏面には、輪状縁部１１が形成され、この輪状縁部１１の下部の一部に前記凹部４が位置し、前記凹部４が鼻当部１２を形成し、この鼻当部１２の上部が立設された遮光壁１３を形成している。
この遮光壁１３は、このマスク本体１の凹部４に鼻が当接した場合、この遮光部１３によって外部からマスク本体１の裏面側に光が入光することを防止することができるように構成されている。【００１３】  前記マスク本体１の  内壁１ａの両側には、内方へ向けて突出する１個又は複数の遮光片１４が形成され、この各遮光片１４の先端が顔面に当接して外部からの先が各眼部５、６の内側へ入らないように構成されている。【００１４】  前記各眼部５、６の各小孔２は、図５で示されるように、断面でテーパ面からなる漏斗状部２０をなし、マスク本体１の裏面から表面にかけて孔形状が先細り状に形成されている。【００１５】    前記マスク本体１の各端部７、８には、各蝶番９を形成するための、互いに直径が異なる第１、第２柱部２１、２２が設けられ、この各柱部２１、２２に各つる部１０の互いに孔径が異なる第１、第２孔部２３、２４が設けられ、各柱部２１、２２に各孔部２３、２４が回動自在に嵌まることによって各蝶番９が構成されている。【００１６】  前記マスク本体の横断面形状のＣ字型部３０において、このＣ字型部３０の中央部３１が最も肉厚が薄く、この中央部３１の両側は徐々にこの中央部３１よりも肉厚となるように形成されている。
従って、この小孔２が形成されている中央部３１の肉厚に極めて薄いため、顔面にマスク本体１を装着した場合に、小孔２が漏斗状であることにより、その小孔２の壁が目で見えにくく、真円として見ることができ、光の直線移動による真円以外として見えることを防止できる。
そのため、マスク本体１を装着した時の小孔２を経た外部の景色等も真円を経て見ることができる。【００１７】  また、前記蝶番９は、各柱部２１、２２の直径が異なり、各孔部２３、２４の孔径が異なるように構成されているため、マスク本体１に各つる部１０を接続する場合、接続向き等を間違えることがなく、組立作業が極めて容易となる。
また、各つる部１０には、複数の溝４０が形成され、各溝４０の何れかに図示しないストッパを選択的に取り付け、顔と耳の大きさに応じてストッパを移動させ、顔面へのアイマスクのマスク本体１の装着具合を調整することができる。
【図面の簡単な説明】
【００１８】
【図１】  本発明によるアイマスクを示す正面図である。
【図２】  図１のＡ−Ａ断面図である。
【図３】  図１の裏面図である。
【図４】  図３のＣ−Ｃ断面図である。
【図５】  図３の断面図である。
【図６】  図１の平面図である。
【図７】  図６の右側面図である。
【図８】  図７のＥ−Ｅ部分の断面図である。
【図９】  図７のつる部を示す断面図である。
【図１０】  図７の要部を示す側面図である。
【図１１】  図６の斜視図である。
【符号の説明】
【００１９】  １    マスク本体
２    小孔
１ａ  内壁
４    凹部
１Ｂ  凹形部
１Ｃ  凸形部
１０  つる部
５    第１眼部
６    第２眼部
７    第１端部
８    第２端部
９    蝶番
１１  輪状縁部
１２  鼻当部
１３  遮光壁
１４  遮光片
２０  漏斗状部
２１  第１柱部
２２  第２柱部
３０  Ｃ字型部
３１  中央部
４０  溝
２３  第１孔部
２４  第２孔部
【図１】
2010000316.tif 000003
【図２】
2010000316.tif 000004
【図３】
2010000316.tif 000005
【図４】
2010000316.tif 000006
【図５】
2010000316.tif 000007
【図６】
2010000316.tif 000008
【図７】
2010000316.tif 000009
【図８】
2010000316.tif 000010
【図９】
2010000316.tif 000011
【図１０】
2010000316.tif 000012
【図１１】
2010000316.tif 000013